(57)【要約】【課題】コンパクトで、作動不良を防止できる自動排水弁を提供する。【解決手段】入口１１ａと出口１１ｂとの間に排出口１１ｃを設けた弁箱１１と、排出口１１ｃを開閉する弁体１２と、出口１１ｂに装着され、排水孔１８ｂを有する閉止板１８と、閉止栓２４を一端側で保持する回動可能なアーム２３とを有し、アーム２３は開閉栓２４を排水孔１８ｂから離間する方向に付勢する圧縮コイルバネ２７を有すると共に、アーム２３の他端側には、排水孔１８ｂを閉止する位置と排水孔１８ｂを開口する位置とに開閉栓２４を切換えるレバー２８が設けられている。【選択図】        図１
2004347019.tif 000002
【特許請求の範囲】
【請求項１】
入口と出口との間に排出口を設けた弁箱と、前記排出口を開閉する弁体と、前記出口に装着されかつ一部に開孔を有する仕切部材と、前記開孔を開閉する栓部材と、前記栓部材を一端側で保持する回動可能なアーム部材とを有し、前記アーム部材は前記栓部材を前記開孔から離間する方向に付勢する弾性体を有すると共に、前記アーム部材の他端側には、前記開孔を閉止する位置と前記開孔を開口する位置とに前記栓部材の位置を切換える操作手段が設けられていることを特徴とする自動排水弁。
【請求項２】
前記栓部材は、前記アームの一端に摺動可能に装着された軸部材に固定され、前記軸部材には前記栓部材を付勢する圧縮コイルバネが装着されていることを特徴とする請求項１記載の自動排水弁。
【請求項３】
前記操作手段は、前記アームの他端側にその長手方向に移動可能に嵌装されるレバー部材と、そこに固着された突起部材と、前記突起部材を受容する係止部材を有することを特徴とする請求項１記載の自動排水弁。
【発明の詳細な説明】
【０００１】
【発明の属する技術分野】
本発明は、スプリンクラー配管などの末端に取付けられて、ポンプの運転停止時に配管内の異物を排出する機能をもつ自動排水弁に関する。
【０００２】
【従来の技術】
積雪地帯に敷設された線路には、図６に示すように線路の消雪を行うためのスプリンクラー配管が設置されている。このスプリンクラー配管は、スプリンクラー１に接続される管路２の一端部に、止め弁３と不凍結型減圧弁４を介してポンプ（不図示）が接続され、管路２の他端部（末端）には自動排水弁５ａが接続され、その上流側には異物排出弁５ｂが接続されている。従来の自動排水弁５ａ及び異物排出弁５ｂを図７及び図８により説明する。図７は自動排水弁５ａが閉弁した状態で、図８は自動排水弁５ａが開弁した状態を示す。異物排出弁５ｂは、入口５１ａと出口５１ｂと排出口５１ｃが設けられた弁箱５１と、端面にディスク５２ａが装着された弁体５２と、弁体５２を駆動する弁棒５３と、弁棒５３を回転させるハンドル５４を有する。排出口５１ｃには、ディスク５２ａが着座する弁座５１ｄが設けられている。弁棒５３は、弁箱５１に固定されたふた５３ａと、ふた５３ａに固定されたパッキン押え５３ｂ及びスリーブ５３ｃなどに支持されている。自動排水弁５ａは、異物排出弁５ｂの出口５１ｂ側に設けられ、連通孔５４ｂを有するカバー５４ａと排水口５４ｄを有するカバー５４ｃとで囲まれた排水部５４と、その内部に配設された、排水動作を行う排水部材５５とを有する。排水部材５５は、カバー５４ａに固設されたベース５５ａと軸５５ｂの周囲に支持された略Ｌ字形状のアーム５５ｃとその一端部に固定された椀状の閉止栓５５ｄを有する。軸５５ｂにはバネ５５ｅが巻回され、その一端部はカバー５４ａに押圧され、他端部はピン５５ｆに当接することにより、閉止栓５５ｄは矢印Ｘ方向に付勢されている。アーム５５ｃの他端部には、固定軸５５ｇが突設され、そこにペダル５５ｉを有するバランサー５５ｈが固定されている。また上記の自動排水弁及び異物排出弁に関連して、特許文献１には、弁箱の排出口を上下動可能な弁体により閉止する開閉装置を設けることにより、寒冷地における配管内の凍結を防止し、かつ配管系への接続作業を短時間で行えるようにした排出弁が提案されている。
【０００３】
【特許文献１】
特開２００１−２０８２２３号公報（第２−３頁、図１）
【０００４】
図６に示すスプリンクラー配管によれば、降雪が感知されるとポンプ（不図示）が作動して０．０８ＭＰａ〜０．２ＭＰａ程度に加圧された水が止め弁３と不凍結型減圧弁４を介して管路２に流入し、スプリンクラー１により線路に散水され、残りの水は異物排出弁５ｂを経て自動排水弁５ａに流入する。自動排水弁５ａにおいては、図７に示すように水圧により閉止栓５５ｄは矢印Ｘ方向に押し付けられ、排出孔５４ｂが塞がれるので、水は排水部５４に流入せず、閉弁動作が行われる。一方ポンプが停止している場合は、閉止栓５５ｄは水圧から解放されるので、バランサー５５ｈの自重により矢印Ｙ方向に移動し、排出孔５４ｂが開口して、排水口５４ｄから排水される。これにより、管路１内の凍結が防止される。また管路１内を流れる水には異物（錆、砂、小石など）が混入しているので、長期に亘って排水作業を行うと排出孔５４ｂが異物で塞がれ、自動排水弁５ａの作動不良が生じてしまう。そこで、図７において規制手段（不図示）を作動させてペダル５５ｉを踏み込むことにより、閉止栓５５ｄを矢印Ｙ方向にさらに移動させて、排出孔５４ｂの開口面積を拡げ、異物を排出する。また年間に数回程度は、図８に示すように異物排出弁５ｂのハンドル５４を手動で操作して開弁することにより異物排出作業が行われる。すなわち通常は閉弁状態に位置する弁体５２を図示の位置まで上昇させ、排出口５１ｃを開口することにより、粗大な異物も排出される。
【０００５】
【発明が解決しようとする課題】
上記のスプリンクラー配管は、線路が敷設された限られた敷地内に設置されるため、上記の自動排水弁５ａと異物排出弁５ｂを設置するスペースがないことがある。従って、末端に自動排水弁５ａのみを設けた配管設備でポンプの運転を行うと、例えば数ヶ月で自動排水弁５ａ内に異物が滞留し、閉止栓５５ｄの作動を阻害するという問題がある。
【０００６】
従って本発明の目的は上記の問題点を解消して、異物の排出機能を備えた自動排水弁を提供することである。
【０００７】
【課題を解決するための手段】
上記目的を達成するために、本発明の自動排水弁は、入口と出口との間に排出口を設けた弁箱と、前記排出口を開閉する弁体と、前記出口に装着されかつ一部に開孔を有する仕切部材と、前記開孔を開閉する栓部材と、前記栓部材を一端側で保持する回動可能なアーム部材とを有し、前記アーム部材は前記栓部材を前記開孔から離間する方向に付勢する弾性体を有すると共に、前記アーム部材の他端側には、前記開孔が閉止する位置と前記開孔が開口する位置とに前記栓部材の位置を切換える操作手段が設けられていることを特徴とするものである。
【０００８】
本発明において、前記栓部材は、前記アームの一端に摺動可能に装着された軸部材に固定され、前記軸部材には前記栓部材を付勢する圧縮コイルバネが装着されていることが好ましい。
【０００９】
本発明において、前記操作手段は、前記アームの他端側にその長手方向に移動可能に嵌装されるレバー部材と、そこに固着された突起部材と、前記突起部材を受容する係止部材を有することが好ましい。
【００１０】
本発明によれば、アーム部材の一端側に開孔を開閉する栓部材を設けてその栓部材を弾性体により開孔から離間する方向に付勢すると共に、アーム部材の他端側には、栓部材を開孔に密着する位置とそこから離間する位置とに切換える操作手段を設けるので、コンパクトな構造で、自動排水機能を有すると共に異物排出機能を付与することができる。
【００１１】
【発明の実施の形態】
以下本発明の詳細を図面に基づいて説明する。
図１は本発明の実施の形態に係わる自動排水弁の断面図、図２は自動運転時の図１の要部を拡大した断面図、図３はポンプ停止時の自動排水弁の断面図、図４は図３の要部を拡大した断面図、図５は手動操作時の自動排水弁の断面図である。
【００１２】
図１に示す自動排水弁１０は、異物排出部１０ｂに隣接して排水部１０ａが形成されている。異物排出部１０ｂは、入口１１ａと出口１１ｂと排出口１１ｃを有する弁箱１１と、端面にディスク１２ａを有する弁体１２と、弁体１２を駆動する弁棒１３と、弁棒１３を回転させるハンドル１４を有する。排出口１１ｃには、ディスク１２ａが着座する弁座１１ｄが設けられている。弁棒１３は、弁箱１１に固定されたふた１５と、ふた１５に固定されたパッキン押え１６及びスリーブ１７などにより回転可能に支持されている。異物排出部１０ｂの出口１１ｂ側に設けられた排水部１０ａは、排出孔１８ｂを有する閉止板１８ａと、その端面に装着された排水動作を行う排水部材２０と、排水部材２０を覆う、排水口１９ａを有するカバー１９とで形成されている。排水部材２０は、閉止板１８ａに固設されたベース２１とそこに取着された軸２２の周囲に回動可能に支承されたアーム２３とその一端部に支持された椀状の閉止栓２４を有する。閉止栓２４は、アーム２３の一端部に固定されたバネ座２５に遊嵌された軸２６に固定され、軸２６に装着された圧縮コイルバネ２７により、矢印Ｓ方向に付勢されている。アーム２３の他端側には、レバー２８が嵌装され、レバー２８はアーム２１に装着された圧縮コイルバネ２９により上向きに付勢されている。レバー２８には、支持部材３０が固着され、その一端部に突設されたストッパーピン３１は閉止板１８ａの上端部に設けられたスリーブ３２に嵌入されている。上記自動排水弁１０は、異物排出部１０ｂに隣接する排水部１０ａの長さが従来の排水弁（図７参照）の半分以下になるので、狭い配管スペース内にも設置することが可能となる。
【００１３】
上記自動排水弁１０の動作は次の通りである。降雪時は、次のようにして自動排水弁１０の自動運転が行われる。すなわち、ポンプを運転すると、図１及び図２に示すように入口１１ａから弁箱１１内に水が流入し、その水圧により、閉止栓２４が圧縮コイルバネ２７を矢印Ｔ方向に圧縮して閉止板１８ａの排出孔１８ｂを塞ぐので、スプリンクラー（図６参照）から散水される。一方、ポンプを停止した場合は、閉止栓２４は水圧から解放されるので、図３及び図４に示すように圧縮コイルバネ２７の復元力により、閉止栓２４は矢印Ｓ方向に移動する。次いで図５に示すようにレバー２８を下げてストッパーピン３１をスリーブ３２から外した後レバー２８を時計方向に回動させる。この操作により、排出孔１８ｂが開口するので、排出孔１８ｂから強制的に排水が行われ、異物も排水口１９ａから配管外に排出される。従って配管内の凍結防止と排水弁の正常な作動が可能となる。またハンドル１４を回転させて、弁体１２を上昇させる（開弁する）ことにより、排出口１１ｃから異物が流出するので、自動排水弁の作動不良を確実に防止することが可能となる。すなわち上記自動排水弁１０は、コンパクトな構造であることに加えて、自動排水機能と異物排出機能を共に具備するものである。
【００１４】
【発明の効果】
以上に記述の如く本発明によれば、異物排出部に隣接する排水部は、排水口を閉止する閉止栓が回動可能なアームの先端に弾性体を介して移動可能に支持された構造を有するので、限られたスペース内に設置することが可能な、コンパクトな自動排水弁を実現することができる。
【図面の簡単な説明】
【図１】本発明の実施の形態に係わる自動排水弁の断面図である。
【図２】図１の要部を拡大した断面図である。
【図３】ポンプ停止時の自動排水弁の断面図である。
【図４】図３の要部を拡大した断面図である。
【図５】手動操作時の自動排水弁の断面図である。
【図６】従来のスプリンクラー配管の一例を示す模式図である。
【図７】従来の自動排水弁及び異物排出弁の断面図である。
【図８】従来の自動排水弁及び異物排出弁の断面図である。
【符号の説明】
１：スプリンクラー、２：管路、３：止め弁、４：減圧弁、５ａ：自動排水弁、５ｂ：異物排出弁
１０：自動排水弁、１０ａ：排水部、１０ｂ：異物排出部
１１：弁箱、１１ａ：入口、１１ｂ：出口、１１ｃ：排出口
１２：弁体、１２ａ：ディスク
１３：弁棒
１４：ハンドル
１５：ふた、１６：パッキン押え、１７：スリーブ
１８：閉止板、１８ａ：排出孔、１８ｂ：係止孔
１９：カバー、１９ａ：排水口
２０：排水部材
２１：ベース
２２、２６：軸
２３：アーム
２４：閉止栓
２５：バネ座
２７、２９：圧縮コイルバネ
２８：レバー
３０：支持部材
３１：ストッパーピン
３２：スリーブ
【図１】
2004347019.tif 000003
【図２】
2004347019.tif 000004
【図３】
2004347019.tif 000005
【図４】
2004347019.tif 000006
【図５】
2004347019.tif 000007
【図６】
2004347019.tif 000008
【図７】
2004347019.tif 000009
【図８】
2004347019.tif 000010